(57)【要約】【課題】静止画像の記憶の信頼性の確保等が可能な静止画記憶装置等を提供する。【解決手段】静止画記憶装置は、画像データを出力する撮像部と、第１、第２の記憶領域を含む不揮発性メモリと、不揮発性メモリを制御するコントローラと、を備える。コントローラは、撮像部から出力される画像データを第１の記憶領域に記憶させる第１の処理部と、第１の記憶領域の記憶状況に基づき、第１の記憶領域に記憶されている複数の画像データのうちの選択した画像データを第１の記憶領域から読み出して圧縮し、圧縮後の画像データを第２の記憶領域に記憶させ、第１の記憶領域に記憶されている複数の画像データのうちの選択した画像データを破棄させる第２の処理部と、第２の記憶領域の記憶状況に基づき、第２の記憶領域に記憶されている複数の圧縮後の画像データのうちの選択した圧縮後の画像データを破棄させる第３の処理部と、を含む。【選択図】図１
2010226453.tif 000002
【特許請求の範囲】
【請求項１】
画像を撮像して得られる画像データを出力する撮像手段と、
第１の記憶領域および第２の記憶領域を含む不揮発性記憶手段と、
前記不揮発性記憶手段を制御する制御手段と、
を備え、
前記制御手段は、
前記撮像手段から出力される画像データを前記第１の記憶領域に記憶させる第１の処理手段と、
前記第１の記憶領域の記憶状況に基づき、前記第１の記憶領域に記憶されている複数の画像データのうちの選択した画像データを前記第１の記憶領域から読み出して圧縮し、圧縮後の画像データを前記第２の記憶領域に記憶させ、前記第１の記憶領域に記憶されている複数の画像データのうちの選択した画像データを破棄させる第２の処理手段と、
前記第２の記憶領域の記憶状況に基づき、前記第２の記憶領域に記憶されている複数の圧縮後の画像データのうちの選択した圧縮後の画像データを破棄させる第３の処理手段と、を含むこと
を特徴とする静止画記憶装置。
【請求項２】
前記第１の処理手段は、
前記撮像手段によって今回撮像された画像データと前回撮像された画像データとを比較し、その比較差分が所定量以上であるか否かを判定する第１の判定手段と、
前記第１の判定手段が前記撮像手段によって今回撮像された画像データと前回撮像された画像データとの差分が所定量以上であると判定した場合に、前記撮像手段から出力される画像データを前記第１の記憶領域に記憶させる第１の管理手段と、を含むこと
を特徴とする請求項１記載の静止画記憶装置。
【請求項３】
前記第１の処理手段は、前記撮像手段によって撮像された画像データを検索する際のインデックスとなるデータを生成するデータ生成手段を更に含み、
前記第１の管理手段は、前記データ生成手段によって生成されたデータを前記撮像手段から出力される画像データに付帯させて前記第１の記憶領域に記憶させること
を特徴とする請求項１または２記載の静止画記憶装置。
【請求項４】
第１の電源から電力が供給される場合に、前記第１の電源の電圧を変換して前記撮像手段、前記不揮発性記憶手段、および前記制御手段に供給する第１の電源手段と、
第２の電源から電力が供給される場合に、前記第２の電源の電圧を変換して前記撮像手段、前記不揮発性記憶手段、および前記制御手段に供給する第２の電源手段と、
を更に備えること
を特徴とする請求項１乃至３のいずれか１項に記載の静止画記憶装置。
【請求項５】
画像を撮像して得られる画像データを出力する撮像手段と、第１の記憶領域および第２の記憶領域を含む不揮発性記憶手段と、前記第１の記憶領域および前記第２の記憶領域の記憶を制御する制御手段と、供給される電源電圧を変換して前記撮像手段、前記不揮発性記憶手段、および前記制御手段に供給する電源手段と、を有する静止画記憶装置と、
供給される電力を用いて発光する発光手段と、
入力電圧を変換して前記静止画記憶装置内の前記電源手段および前記発光手段に供給する電圧変換手段と、
を備え、
前記撮像手段の撮像範囲が前記発光手段から出射される光によって照射される照射範囲の少なくとも一部を含むこと
を特徴とする照明器具。
【発明の詳細な説明】
【技術分野】
【０００１】
本発明は、静止画記憶装置および照明器具に関する。
【背景技術】
【０００２】
静止画像を効率良くメモリに記憶することができる技術として、下記の特許文献１には、入力される画像信号を少なくとも記憶する機能を有するディジタル信号記憶装置であって、上記入力される画像信号を符号化処理する画像処理手段と、上記画像処理手段による符号化処理の際にディジタル信号を一時的に記憶するための記憶手段とを備え、上記記憶手段を少なくとも動画像処理に使用する領域とそれ以外の領域とに分割することを特徴とするディジタル信号記憶装置において、動画像処理に使用する領域以外を全て静止画像処理に使用する領域にする技術が開示されている。
【０００３】
しかしながら、特許文献１に開示された技術では、記憶手段はディジタル信号を一時的に記憶するものであり、静止画像処理に使用する領域の使用の仕方については考慮されておらず、静止画像の記憶の信頼性の確保等がなされていないという問題がある。
【先行技術文献】
【特許文献】
【０００４】
【特許文献１】特開２００１−２１８１６５号公報
【発明の概要】
【発明が解決しようとする課題】
【０００５】
本発明は、静止画像の記憶の信頼性の確保等が可能な静止画記憶装置および照明器具を提供することを目的とする。
【課題を解決するための手段】
【０００６】
本願発明の一態様によれば、画像を撮像して得られる画像データを出力する撮像手段と、第１の記憶領域および第２の記憶領域を含む不揮発性記憶手段と、前記不揮発性記憶手段を制御する制御手段と、を備え、前記制御手段は、前記撮像手段から出力される画像データを前記第１の記憶領域に記憶させる第１の処理手段と、前記第１の記憶領域の記憶状況に基づき、前記第１の記憶領域に記憶されている複数の画像データのうちの選択した画像データを前記第１の記憶領域から読み出して圧縮し、圧縮後の画像データを前記第２の記憶領域に記憶させ、前記第１の記憶領域に記憶されている複数の画像データのうちの選択した画像データを破棄させる第２の処理手段と、前記第２の記憶領域の記憶状況に基づき、前記第２の記憶領域に記憶されている複数の圧縮後の画像データのうちの選択した圧縮後の画像データを破棄させる第３の処理手段と、を含むことを特徴とする静止画記憶装置が提供される。
【０００７】
また、本願発明の一態様によれば、画像を撮像して得られる画像データを出力する撮像手段と、第１の記憶領域および第２の記憶領域を含む不揮発性記憶手段と、前記第１の記憶領域および前記第２の記憶領域の記憶を制御する制御手段と、供給される電源電圧を変換して前記撮像手段、前記不揮発性記憶手段、および前記制御手段に供給する電源手段と、を有する静止画記憶装置と、供給される電力を用いて発光する発光手段と、入力電圧を変換して前記静止画記憶装置内の前記電源手段および前記発光手段に供給する電圧変換手段と、を備え、前記撮像手段の撮像範囲が前記発光手段から出射される光によって照射される照射範囲の少なくとも一部を含むことを特徴とする照明器具が提供される。
【発明の効果】
【０００８】
本発明によれば、静止画像の記憶の信頼性の確保等が可能となるという効果を奏する。
【０００９】
また、本発明によれば、光によって照射される照射範囲の少なくとも一部を含む静止画像の記憶の信頼性の確保等が可能となるという効果を奏する。
【図面の簡単な説明】
【００１０】
【図１】図１は、本発明の第１の実施の形態にかかる静止画記憶装置の構成を示すブロック図である。
【図２】図２は、撮像部１１で撮像された画像データの例を示す図である。
【図３】図３は、不揮発性メモリ１３に記憶される画像データの例を示す図である。
【図４】図４は、静止画記憶装置１の認証を行うシステムの一例を示す図である。
【図５】図５は、本発明の第２の実施の形態にかかる照明器具の回路構成を示す図である。
【図６】図６は、照明器具７０の静止画記憶装置１およびＬＥＤ部７１の配置例を示す図である。
【発明を実施するための形態】
【００１１】
以下に添付図面を参照して、本発明の実施の形態にかかる静止画記憶装置および照明器具を詳細に説明する。なお、これらの実施の形態により本発明が限定されるものではない。
【００１２】
（第１の実施の形態）
図１は、本発明の第１の実施の形態にかかる静止画記憶装置の構成を示すブロック図である。この静止画記憶装置１は、例えば、防犯カメラとして利用することもできる。従来の防犯カメラは、防犯カメラの設置場所と離れた場所に居る監視員等が撮像された画像を監視するという利用形態を基本の利用形態としてシステム設計されていた。そして、監視員の省人化、記憶機能追加等のために、撮像された画像を磁気テープやＨＤＤ（Ｈａｒｄ  Ｄｉｓｋ  Ｄｒｉｖｅ）に記憶する利用形態となっていた。そのため、画像信号ケーブルや電源ケーブルを設置する工事コストを要するので、防犯カメラの設置場所数、設置個数の制限をコスト面から受けていた。また、画像信号をケーブルを介して伝送するため、画像の解像度を自由に上げることも出来なかった。そのため、画像の解像度が低く、証拠能力が低いので、犯罪抑止力も低かった。これに対し、静止画記憶装置１では、上述したような監視員が画像を監視するという利用形態の概念を廃し、画像データを記憶しておく機能を強化することで、静止画記憶装置１の設置場所におけるスタンドアロン機器としての動作を実現し、信頼性の確保、有用な情報のみの記憶、目撃者に相当する証拠能力の確保、盗撮等の悪用防止等の機能を実現している。また、複数の高解像度の静止画記憶装置１をシステムリンクし、多数箇所に設置することを可能とすることによって、より高い犯罪防止効果を実現することができる。
【００１３】
図１を参照すると、静止画記憶装置１は、２００万画素のＣＭＯＳカメラモジュール等で構成可能な撮像部１１と、シングルチップマイクロコンピュータ等で構成可能なコントローラ１２と、ＮＡＮＤ型記憶デバイス等で構成可能な不揮発性メモリ１３と、ＤＣ／ＤＣコンバータ１４と、第１のレギュレータ（例えば、１．８Ｖレギュレータ）１５と、第２のレギュレータ（例えば、３．３Ｖレギュレータ）１６と、ＵＳＢ（Ｕｎｉｖｅｒｓａｌ  Ｓｅｒｉａｌ  Ｂｕｓ）インタフェース１７と、アンテナ１８と、電波時計モジュール１９と、電波送受信部２０と、を含む。撮像部１１とコントローラ１２とは、例えばＩ２Ｃバス等の制御バスとデータバスで接続されている。
【００１４】
撮像部１１が本発明の撮像手段に対応し、コントローラ１２が本発明の制御手段に対応し、不揮発性メモリ１３が本発明の不揮発性記憶手段に対応し、ＤＣ／ＤＣコンバータ１４および３．３Ｖレギュレータ１６が本発明の第１の電源手段に対応し、１．８Ｖレギュレータ１５および３．３Ｖレギュレータ１６が本発明の第２の電源手段に対応する。また、第１の電源手段と第２の電源手段が本発明の電源手段に対応する。
【００１５】
静止画記憶装置１は、バッテリ（例えば、リチウムイオン電池（３．７Ｖ）、乾電池（３．０Ｖ））等や、ＵＳＢバスパワー（５．０Ｖ）等を電力源として動作可能である。バッテリ等を電力源として動作する場合には、ＤＣ／ＤＣコンバータ１４が、バッテリ等の電圧を所望の第１の電圧（例えば、１．８Ｖ等）に変換して撮像部１１、およびコントローラ１２に供給し、３．３Ｖレギュレータ１６が、バッテリ等の電圧を所望の第２の電圧（例えば、３．３Ｖ）に変換して不揮発性メモリ１３に供給する。また、ＵＳＢバスパワー等を電力源として動作する場合には、１．８Ｖレギュレータ１５が、ＵＳＢバスパワー等の電圧を所望の電圧（例えば、１．８Ｖ等）に変換して撮像部１１、およびコントローラ１２に供給し、３．３Ｖレギュレータ１６が、ＵＳＢバスパワー等の電圧を所望の第２の電圧（例えば、３．３Ｖ）に変換して不揮発性メモリ１３に供給する。なお、交流電圧を所望の電圧に変換する電源手段を備えるようにし、外部から交流電圧が供給されることとしても良い。
【００１６】
コントローラ１２は、第１の処理部３１、第２の処理部３２、第３の処理部３３、計時部３４、および通信部３５を含む。第１の処理部３１、第２の処理部３２、第３の処理部３３、および通信部３５は、ＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムを実行すること等により、実現可能である。計時部３４は、ＲＴＣ（Ｒｅａｌ  Ｔｉｍｅ  Ｃｌｏｃｋ）等により、実現可能である。第１の処理部３１が本発明の第１の処理手段に対応し、第２の処理部３２が本発明の第２の処理手段に対応し、第３の処理部３３が本発明の第３の処理手段に対応する。
【００１７】
第１の処理部３１は、第１の管理部３１ａ、第１の判定部３１ｂ、およびデータ生成部３１ｃを含む。第１の管理部３１ａが本発明の第１の管理手段に対応し、第１の判定部３１ｂが本発明の第１の判定手段に対応し、データ生成部３１ｃが本発明のデータ生成手段に対応する。
【００１８】
第２の処理部３２は、第２の判定部３２ａ、および第２の管理部３２ｂを含む。第２の判定部３２ａが本発明の第２の判定手段に対応し、第２の管理部３２ｂが本発明の第２の管理手段に対応する。また、第３の処理部３３は、第３の判定部３３ａ、および第３の管理部３３ｂを含む。第３の判定部３３ａが本発明の第３の判定手段に対応し、第３の管理部３３ｂが本発明の第３の管理手段に対応する。
【００１９】
不揮発性メモリ１３は、その全記憶領域（例えば、概略８ＧＢ等）の概略２分の１（例えば、概略４ＧＢ等）の記憶容量の第１の記憶領域と、その全記憶領域の概略２分の１（例えば、概略４ＧＢ等）の記憶容量の第２の記憶領域と、を含む。第１の記憶領域は、瞬間記憶領域１３ａと、短期記憶領域１３ｂと、を含む。瞬間記憶領域１３ａは、例えば、１または複数枚の画像データを高速２値記憶可能であっても良い。また、瞬間記憶領域１３ａの一部又は全部は、不揮発性メモリではなく、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）等の揮発性メモリに割り当てても良い。また、短期記憶領域１３ｂは、１０００枚程度の非圧縮画像データを多値記憶可能であっても良い。第２の記憶領域は、長期記憶領域１３ｃを含む。長期記憶領域１３ｃは、５分の１程度に圧縮された５０００枚程度の圧縮画像データを多値記憶可能であっても良い。このように、不揮発性メモリ１３の全記憶領域の概略２分の１の第１の記憶領域を非圧縮画像データを記憶する領域とし、不揮発性メモリ１３の全記憶領域の概略２分の１の第２の記憶領域を圧縮画像データを記憶する領域とすることで、第１の記憶領域に記憶された画像データにビット性のエラー（ＥＣＣ（Ｅｒｒｏｒ  Ｃｏｒｒｅｃｔｉｎｇ  Ｃｏｄｅ）で訂正不可能なエラー）が発生した場合であっても画像データとしては部分欠陥に劣化を留めること、長期間の画像データを第２の記憶領域に記憶すること、をバランスさせて両立させることができる。なお、第１の記憶領域と第２の記憶領域の比率を、工場出荷時やエンドユーザ等により、パラメータ等で変更できるようにしても良い。パラメータ等は、ＰＣ４０から設定可能としても良い。不揮発性メモリ１３としては、例えば、ＮＡＮＤ型フラッシュメモリを用いることができる。
【００２０】
次に、静止画記憶装置１の動作について説明する。静止画記憶装置１は、低消費電力状態（例えば、休止状態、スリープ状態等）と通常状態（動作状態）との間を状態遷移しており、コントローラ１２は、所望のタイミングで低消費電力状態から通常状態に遷移し、撮像部１１に撮像を行わせ、再び低消費電力状態に遷移する。所望のタイミングは、例えば、所望の時間間隔（例えば、０．５秒間隔等）であってもよいし、アンテナ１８および電波送受信部２０を介して外部からトリガ信号を受信したタイミングであっても良い。所望の時間間隔は、計時部３４によって計時可能である。計時部３４で計時される時刻は、アンテナ１８及び電波時計モジュール１９によって受信される長波標準電波に基づいて修正される。
【００２１】
第１の管理部３１ａは、撮像部１１から出力される画像データ（ＹＵＶであっても良いし、ＲＧＢであっても良いし、他の表色系であっても良い。）を瞬間記憶領域１３ａに記憶させる。なお、第１の判定部３１ｂが、撮像部１１によって今回撮像された画像データと前回撮像された画像データとを比較し、その比較差分が所定量以上であるか否かを判定し、第１の管理部３１ａが、第１の判定部３１ｂが撮像部１１によって今回撮像された画像データと前回撮像された画像データとの差分が所定量以上であると判定した場合に、撮像部１１から出力される画像データを第１の記憶領域に記憶させるようにしても良い。このようにすることで、画像に何らかの変化が生じた場合（例えば、人物、物体等が撮像範囲に入って来た場合等）の画像データだけを記憶することが可能である。画像に何らかの変化が生じた場合の画像データは画像に何らかの変化が生じない場合の画像データよりも有用な画像データであると考えられるので、有用な画像データだけを記憶することが可能となる。また、第１の管理部３１ａが、第１の判定部３１ｂが撮像部１１によって今回撮像された画像データと前回撮像された画像データとの差分が所定量以上であると判定した場合に、そのときから所定時間に撮像部１１から出力される複数の画像データを第１の記憶領域に記憶させるようにしても良い。
【００２２】
第１の判定部３１ｂが撮像部１１によって今回撮像された画像データと前回撮像された画像データとを比較する手法の一例として、例えば、図２に示すように、各画像データの上部の画素Ｐ１〜Ｐ４、下部の画素Ｐ５〜Ｐ８、左部の画素Ｐ９〜Ｐ１２、右部の画素Ｐ１３〜Ｐ１６を抽出する。そして、画素Ｐ１の値（ＹＵＶ成分、ＲＧＢ成分等のいずれかの成分であっても良いし、全ての成分であっても良い。）と画素Ｐ５の値との差分ｘ１（Δｔ）、画素Ｐ２の値と画素Ｐ６の値との差分ｘ２（Δｔ）、画素Ｐ３の値と画素Ｐ７の値との差分ｘ３（Δｔ）、画素Ｐ４の値と画素Ｐ８の値との差分ｘ４（Δｔ）、画素Ｐ９の値と画素Ｐ１３の値との差分ｙ１（Δｔ）、画素Ｐ１０の値と画素Ｐ１４の値との差分ｙ２（Δｔ）、画素Ｐ１１の値と画素Ｐ１５の値との差分ｙ３（Δｔ）、画素Ｐ１２の値と画素Ｐ１６の値との差分ｙ４（Δｔ）を算出する。そして、各差分ｘ１（Δｔ）、ｘ２（Δｔ）、ｘ３（Δｔ）、ｘ４（Δｔ）、ｙ１（Δｔ）、ｙ２（Δｔ）、ｙ３（Δｔ）、ｙ４（Δｔ）を、前回撮像された画像データの差分ｘ１（Δ（ｔ−１））、ｘ２（Δ（ｔ−１））、ｘ３（Δ（ｔ−１））、ｘ４（Δ（ｔ−１））、ｙ１（Δ（ｔ−１））、ｙ２（Δ（ｔ−１））、ｙ３（Δ（ｔ−１））、ｙ４（Δ（ｔ−１））とそれぞれ比較するようにしても良い。また、今回撮像された画像データに対してＡＢＳ（ｘ１（Δｔ））＋ＡＢＳ（ｘ２（Δｔ））＋ＡＢＳ（ｘ３（Δｔ））＋ＡＢＳ（ｘ４（Δｔ））＋ＡＢＳ（ｙ１（Δｔ））＋ＡＢＳ（ｙ２（Δｔ））＋ＡＢＳ（ｙ３（Δｔ））＋ＡＢＳ（ｙ４（Δｔ））を算出し、前回撮像された画像データの同様の算出値と比較するようにしても良い。
【００２３】
再び図１を参照すると、データ生成部３１ｃが、撮像部１１によって撮像された画像データを検索する際のインデックスとなるデータ（以下、「インデックスデータ」ともいう。）を生成し、第１の管理部３１ａが、データ生成部３１ｃによって生成されたインデックスデータを撮像部１１から出力される画像データに付帯させて瞬間記憶領域１３ａに記憶させるようにしても良い。インデックスデータとして、例えば、画像データ全体に渡るＹＵＶ成分、ＲＧＢ成分の平均値、予め設定されたＹＵＶ成分、ＲＧＢ成分等の閾値を超えた部分の領域サイズ、その領域内のＹＵＶ成分、ＲＧＢ成分等の値の平均値を生成するようにしても良い。あるいは、今回の画像データと前回の画像データとの変化量をインデックスデータとしても良い。これにより、画像データの粗検索の効率化等が図れる。また、第１の管理部３１ａが、計時部３４によって計時されている時刻情報を撮像部１１から出力される画像データに付帯させて瞬間記憶領域１３ａに記憶させるようにしても良い。また、第１の管理部３１ａが、図３に示すように、時刻を表す複数の画素データ（時刻を表す画像データ）を画像データに埋め込んで、瞬間記憶領域１３ａに記憶させるようにしても良い。これにより、証拠能力の向上、粗検索の効率化等を図ることができる。
【００２４】
再び図１を参照すると、第２の処理部３２は、第１の記憶領域の記憶状況に基づき、第１の記憶領域に記憶されている複数の画像データのうちの選択した画像データを第１の記憶領域から読み出して圧縮し、圧縮後の画像データを第２の記憶領域に記憶させ、第１の記憶領域に記憶されている複数の画像データのうちの選択した画像データを破棄させる。詳細には、第２の判定部３２ａは、撮像部１１から出力される画像データを記憶可能な空き領域が瞬間記憶領域１３ａにあるか否かを判定する。第２の管理部３２ｂは、第２の判定部３２ａが撮像部１１から出力される画像データを記憶可能な空き領域が瞬間記憶領域１３ａにないと判定した場合に、瞬間記憶領域１３ａに記憶されている１つまたは複数の画像データのうちの選択した画像データを瞬間記憶領域１３ａから読み出して短期記憶領域１３ｂに記憶させ、瞬間記憶領域１３ａに記憶されている１つまたは複数の画像データのうちの選択した画像データを破棄させ、空き領域を瞬間記憶領域１３ａに設ける。なお、瞬間記憶領域１３ａに記憶されている１つまたは複数の画像データのうちのどの画像データを選択するかに関しては、例えば、古い画像データを選択することや、最も古い画像データを選択することや、所望の空き容量が確保できる容量の画像データを選択すること等が考えられる。
【００２５】
また、第２の判定部３２ａは、瞬間記憶領域１３ａに記憶されている１つまたは複数の画像データのうちの選択した画像データを記憶可能な空き領域が短期記憶領域１３ｂにあるか否かを判定する。第２の管理部３２ｂは、第２の判定部３２ａが瞬間記憶領域１３ａに記憶されている１つまたは複数の画像データのうちの選択した画像データを記憶可能な空き領域が短期記憶領域１３ｂにないと判定した場合に、短期記憶領域１３ｂに記憶されている複数の画像データのうちの選択した画像データを短期記憶領域１３ｂから読み出して圧縮し、圧縮後の画像データを長期記憶領域１３ｃに記憶させ、短期記憶領域１３ｂに記憶されている複数の画像データのうちの選択した画像データを破棄させ、空き領域を短期記憶領域１３ｂに設ける。なお、短期記憶領域１３ｂに記憶されている複数の画像データのうちのどの画像データを選択するかに関しては、例えば、古い画像データを選択することや、最も古い画像データを選択することや、所望の空き容量が確保できる容量の画像データを選択すること等が考えられる。
【００２６】
第３の処理部３３は、第２の記憶領域の記憶状況に基づき、第２の記憶領域に記憶されている複数の圧縮後の画像データのうちの選択した圧縮後の画像データを破棄させる。詳細には、第３の判定部３３ａは、短期記憶領域１３ｂに記憶されている複数の画像データのうちの選択した画像データを記憶可能な空き領域が長期記憶領域１３ｃにあるか否かを判定する。第３の管理部３３ｂは、第３の判定部３３ａが短期記憶領域１３ｂに記憶されている複数の画像データのうちの選択した画像データを記憶可能な空き領域が長期記憶領域１３ｃにないと判定した場合に、長期記憶領域１３ｃに記憶されている複数の圧縮後の画像データのうちの選択した圧縮後の画像データを破棄させ、空き領域を長期記憶領域１３ｃに設ける。なお、長期記憶領域１３ｃに記憶されている複数の圧縮後の画像データのうちのどの圧縮後の画像データを選択するかに関しては、例えば、古い圧縮後の画像データを選択することや、最も古い圧縮後の画像データを選択することや、所望の空き容量が確保できる容量の圧縮後の画像データを選択すること等が考えられる。
【００２７】
なお、所定時間内の画像記憶枚数に上限をパラメータ等で設定できるようにしても良い。これにより、例えば、静止画記憶装置１内の画像データが全て上書きされるには４８時間を要する（換言すると、４８時間前までの画像データを残すことができる）ように設定することが可能である。このパラメータ等は、ＰＣ４０から設定可能としても良い。
【００２８】
次に、静止画記憶装置１から画像データを読み出す場合における動作について説明する。再び図１を参照すると、静止画記憶装置１内のＵＳＢインタフェース部１７は、ＵＳＢケーブルを介してパーソナルコンピュータ（ＰＣ）４０と接続可能である。ＰＣ４０との間の下位レイヤの通信は、ＵＳＢインタフェース部１７によって行われ、ＰＣ４０との間の上位レイヤの通信は、通信部３５によって行われる。静止画記憶装置１は、ＵＳＢケーブルを介してパーソナルコンピュータ（ＰＣ）４０と接続された場合、マスストレージクラス（Ｍａｓｓ  Ｓｔｏｒａｇｅ  Ｃｌａｓｓ）のリードオンリーデバイスとしてＰＣ４０からアクセス可能となる。従って、不揮発性メモリ１３内の画像データをＰＣ４０から消去したり、画像データをＰＣ４０から不揮発性メモリ１３内に書き込んだりすることは出来ない。
【００２９】
通信部３５は、ＰＣ４０で実行される静止画記憶装置１の専用アプリケーションプログラム４１から画像データの読み出し要求を受けた場合に、例えば、２ＧＢ分や４ＧＢ分の画像データを１つまたは複数の独自定義の２ＧＢファイルや４ＧＢファイルとして専用アプリケーションプログラム４１に送信する。この独自定義のファイルは、専用アプリケーションプログラム４１によってのみ展開、分解、閲覧等可能としても良い。これにより、専用アプリケーションプログラム４１以外のプログラムで静止画記憶装置１内の画像データを展開、分解、閲覧等することができないようにすることができる。専用アプリケーションプログラム４１において、検索条件（例えば、領域（物体、人物等）の大きさ、色等）を入力可能としても良い。そして、専用アプリケーションプログラム４１は、検索条件と画像データに付帯されたインデックスデータとを照合し、検索条件に合致した画像をＰＣ４０の表示画面上に表示することができるようにしても良い。
【００３０】
また、盗撮等の悪用防止等を図る観点から、静止画記憶装置１の利用にあたって、認証を必要とするようにしても良い。図４は、静止画記憶装置１の認証を行うシステムの一例を示す図である。静止画記憶装置１にＵＳＢケーブルを介して接続されたＰＣ４０は、ＬＡＮ、ＷＡＮ、公衆回線網、インターネット等のネットワークを介して、データセンターのコンピュータ５０に接続される。
【００３１】
静止画記憶装置１には、製造、出荷段階において、製造番号および個体ＩＤが付与されており、データセンターのコンピュータ５０の記憶部５１には、製造番号と個体ＩＤが関連づけられて記憶されている。製造番号は、例えば静止画記憶装置１の筐体の表面に貼付された製造番号ラベル２１や取扱説明書等に記載されており、エンドユーザが見ることが可能となっている。また、個体ＩＤは、例えば不揮発性メモリ１３内の個体ＩＤ記憶領域１３ｄ内に記憶されており、エンドユーザから秘匿されている。
【００３２】
エンドユーザは、静止画記憶装置１の認証を行う場合、製造番号ラベル２１等に記載された製造番号を見て、ＰＣ４０で実行される専用アプリケーションプログラム４１に製造番号を入力する。ＰＣ４０で実行される専用アプリケーションプログラム４１は、不揮発性メモリ１３の個体ＩＤ記憶領域１３ｄに秘匿記憶されている個体ＩＤを読み出し、読み出した個体ＩＤとエンドユーザから入力された製造番号とをデータセンターのコンピュータ５０に送信する。データセンターのコンピュータ５０の処理部５２は、ＰＣ４０で実行される専用アプリケーションプログラム４１から送信された個体ＩＤと製造番号を記憶部５１に記憶されている製造、出荷段階で静止画記憶装置１に付与された製造番号および個体ＩＤと照合する。
【００３３】
また、静止画記憶装置１の利用にあたって、課金（例えば、５００円等）を必要とするようにしても良い。エンドユーザは、静止画記憶装置１の課金の支払いを行う場合、ＰＣ４０で実行される専用アプリケーションプログラム４１にクレジットカード番号等の情報を入力する。ＰＣ４０で実行される専用アプリケーションプログラム４１は、エンドユーザから入力されたクレジットカード番号等をデータセンターのコンピュータ５０に送信する。データセンターのコンピュータ５０の処理部５２は、ＰＣ４０で実行される専用アプリケーションプログラム４１から送信されたクレジットカード番号等の照会を、ネットワークに接続されたクレジットカード会社のコンピュータ６０に行う。クレジットカード会社のコンピュータ６０の記憶部６１には、エンドユーザの氏名、クレジットカード番号等が記憶されており、クレジットカード会社のコンピュータ６０の処理部６２は、データセンターのコンピュータ５０からの照会を受けると、記憶部６１を参照して照会を行い、その結果をデータセンターのコンピュータ５０に送信する。なお、クレジットカードでの支払いに代えて、電子マネー等で課金の支払いを行うようにしても良い。
【００３４】
上記のような認証が終了すると、データセンターのコンピュータ５０の処理部５２は、認証に関する情報（認証したエンドユーザの氏名等を含んでも良い。）をＰＣ４０上で実行される専用アプリケーションプログラム４１に送信し、ＰＣ４０上で実行される専用アプリケーションプログラム４１は、認証に関する情報を静止画記憶装置１の例えば不揮発性メモリ１３に書き込む。これにより、静止画記憶装置１は認証され、動作可能となる。なお、認証に関する情報をデータセンターのコンピュータ５０の記憶部５１に記憶し、データセンターのコンピュータ５０で集中管理するようにしても良い。その場合、データセンターのコンピュータ５０は、認証に関する情報を製造番号および個体ＩＤに関連付けて記憶するようにしても良い。
【００３５】
また、盗撮等の悪用防止等を図る観点から、静止画記憶装置１が、動作時もしくは外部からトリガ信号を受信した時に、電波送受信部２０およびアンテナ１８（図１参照）を用いて電波を発信し、その存在や動作を明らかにするようにしても良い。静止画記憶装置１から発信された電波を探知することにより、静止画記憶装置１の存在や動作を知ることができる。これにより、盗撮等の悪用を防止、抑止することができる。また、静止画記憶装置１が、音声発生部や発光部を具備することとし、動作時もしくは外部からトリガ信号を受信した時に、音声や光を発するようにしても良い。
【００３６】
また、システムリンク機能を実現する観点から、先に説明したように、静止画記憶装置１が、アンテナ１８および電波送受信部２０を介して外部からトリガ信号を受信したときに撮像、画像データの記憶等を行うようにしても良い。この場合、静止画記憶装置１は、所定の時間間隔（例えば、０．５秒間隔等）でトリガ信号の受信の有無を判定するようにすれば良い。例えば、防犯ブザー装置が、電波送信部を具備してトリガ信号（電波）を送信するようにし、静止画記憶装置１が、防犯ブザー装置からのトリガ信号を受信したときに撮像、画像データの記憶等を行うようにしても良い。この場合、防犯ブザー装置が、トリガ信号を、静止画記憶装置１がトリガ信号の受信の有無を判定する時間間隔（例えば、０．５秒間隔等）よりも十分に長い時間（例えば、１秒等）送信するようにすれば良い。
【００３７】
また、静止画記憶装置１が、撮像、画像データの記憶等を行う場合に、電波送受信部２０およびアンテナ１８（図１参照）を介して、トリガ信号を送信するようにしても良い。これにより、例えば、静止画記憶装置１を複数個設置し、複数個の静止画記憶装置１が連携して撮像、画像データの記憶等を行うことができる。
【００３８】
（第２の実施の形態）
図５は、本発明の第２の実施の形態にかかる照明器具の回路構成を示す図である。この照明器具７０は、静止画記憶装置１と、ＬＥＤ部７１と、コンバータ７２と、を含む。コンバータ７２は、外部電源８０から入力される交流電圧を直流電圧に変換して静止画記憶装置１およびＬＥＤ部７１に供給する。これにより、静止画記憶装置１とＬＥＤ部７１を１つのコンバータ７２で駆動させることができる。なお、外部電源８０を直流電源としても良い。
【００３９】
図６は、照明器具７０の静止画記憶装置１およびＬＥＤ部７１の配置例を示す図である。図６では、静止画記憶装置１およびＬＥＤ部７１は、傘部（リフレクタであっても良い。）７３内に配置されている。これにより、静止画記憶装置１の配置を容易にすることができ、静止画記憶装置１の配置工事の工数を低減することができる。
【００４０】
また、ＬＥＤ部７１は、図６中の下方向に光を照射し、静止画記憶装置１の撮像部１１は、図６中の下方向の画像を撮像する。そして、撮像部１１の撮像範囲は、ＬＥＤ部７１から出射される光によって照射される照射範囲の少なくとも一部を含むようにすると良い。これにより、鮮明な画像を撮像することができるようになり、証拠能力の向上等を図ることができる。
【符号の説明】
【００４１】
１  静止画記憶装置、１１  撮像部、１２  コントローラ、１３  不揮発性メモリ、１３ａ  瞬間記憶領域、１３ｂ  短期記憶領域、１３ｃ  長期記憶領域、１４  ＤＣ／ＤＣコンバータ、１５、１６  レギュレータ、３１  第１の処理部、３１ａ  第１の管理部、３１ｂ  第１の判定部、３１ｃ  データ生成部、３２  第２の処理部、３２ａ  第２の判定部、３２ｂ  第２の管理部、３３  第３の処理部、３３ａ  第３の判定部、３３ｂ  第３の管理部、７０  照明器具、７１  ＬＥＤ部、７２  コンバータ、７３  傘部。
【図１】
2010226453.tif 000003
【図２】
2010226453.tif 000004
【図３】
2010226453.tif 000005
【図４】
2010226453.tif 000006
【図５】
2010226453.tif 000007
【図６】
2010226453.tif 000008